(57)【特許請求の範囲】
【請求項１】
運転席後方の車台枠上に設けられ後部上面と背面とが開口された塵芥収容箱と、
前記塵芥収容箱の後部上端部に軸着されて上下に回動し、下方位置に固定されて前記後部上面と背面とを閉塞するとともに該塵芥収容箱の後部に投入される塵芥を前方に移送し上方に回動して前記後部上面と背面とを開口する積込装置と、
前記塵芥収容箱に内設され該塵芥収容箱に収容された塵芥を後方に排出する排出板と、
を備え、
前記積込装置が設けられた前記塵芥収容箱の後部の底面が下方に向って湾曲して、投入された塵芥が蓄積されるホッパー部が形成され、
前記塵芥収容箱に収容された塵芥を後方に排出する時、前記排出板の後端を前記ホッパー部の後端まで移動させるとともに、前記排出板の上端を前記塵芥収容箱の後部開口の上端より後方に移動させることを特徴とする塵芥収集車。
【請求項２】
前記積込装置が、
上昇下降するアッパパネルと、
前記アッパパネルの下端部に軸着され前記ホッパー部に沿って回動し、投入された塵芥を掻き揚げるロアパネルと、を有し、
前記アッパパネルが最も下降した状態において前記ロアパネルが前後両向きに回動することを特徴とする請求項１記載の塵芥収集車。
【請求項３】
前記積込装置が、
前記ホッパー部に沿って回転し、投入された塵芥を掻き揚げる回転板と、
前記回転板で掻き揚げられた塵芥を前記塵芥収容箱において前方へ押し込む押込板と、を有し、
前記回転板が正転と逆転とを行うことを特徴とする請求項１記載の塵芥収集車。
【発明の詳細な説明】
【０００１】
【発明の属する技術分野】
本発明は、収集したごみを他の車輌へ積み替えることができる塵芥収集車に関するものである。
【０００２】
【従来の技術】
従来より、塵芥収集車は収集したごみを処理場まで運搬し、廃棄した後、再び塵芥収集地域に戻ってごみの収集を行っている。
ところが、塵芥収集地域と処理場とが離れている場合や、塵芥収集地域がビルや住宅等が密集した市街地である場合、処理場への塵芥の運搬に手間を要する。
【０００３】
そこで、従来より、収集したごみを他の大型車輌へ積み替え、一度に大量のごみを処理場に運搬するための様々な提案がなされている。
例えば、図８（Ａ）に示すように、特開平７−１８７３１０号公報に記載された塵芥収集車１００は、基端が車台主フレーム１０１に枢着され、ピストンロッドの先端がサブフレーム１０２に枢着されたリフトシリンダー１０３と、基端がサブフレーム１０２に枢着され、ピストンロッドの先端が塵芥収容箱に枢着されたダンプシリンダー１０４とを備える。
【０００４】
そして、塵芥収容箱１０５内がごみで満杯になると、図８（Ｂ）に示すように、塵芥収集車１００を大型ダンプ車２００が待機している場所まで移動させ、塵芥収容箱１０５の後端部上端に枢軸を介して枢着された塵芥投入箱１０６を上方に回動させて塵芥収容箱１０５の後方側の開口部を開放する。そして、この開口部を大型ダンプ車２００に近接させた後、リフトシリンダー１０３を駆動させることでサブフレーム１０２を車台主フレーム１０１に対して傾斜させ、さらにダンプシリンダー１０４を駆動させることで塵芥収容箱１０５をサブフレーム１０２に対して傾斜させ、塵芥収容箱１０５内のごみを大型ダンプ車２００へ積み替えるものである。
【０００５】
【発明が解決しようとする課題】
ところが、上述のような構造を備える塵芥収集車１００では、塵芥投入箱１０５を上方に回動させた状態では、塵芥投入箱１０５が車台主フレーム１０１の後端部分からさらに後方に位置することになる。従って、ごみの積み替えに使用される車輌としては、後部上方にある程度大きなスペースを備えた車輌、例えば、上面側が開いた荷台を備える大型のダンプ車２００等に限定されてしまう。この結果、一旦塵芥収集車１００で圧縮したごみを、圧縮装置を持たないダンプ車２００に積み替えることになり、ごみ回収作業の効率を悪化させるという問題があった。
【０００６】
また、重量物となる塵芥投入箱１０６を上方に回動させ、さらに、塵芥収容箱１０５を後方側に傾斜させるので、特に荷台の位置が高い車輌にごみを積み替える場合は、塵芥収集車１００の安定性を確保することが難しいという問題もあった。
【０００７】
また他にも、例えば図９に示すように、特許第２９２７４０３号に開示された、塵芥収集車３００が収集したごみをまとめて一時的に貯留し、大型塵芥収集車３０１へ積み替える塵芥貯留施設３０２も知られているが、ごみ貯留スペースの確保や、ごみを大型塵芥収集車３０１に積み替えるための各種装置を新たに設ける必要があるため、コストが高くつくという問題があった。
【０００８】
本発明の課題は、上述の問題を考慮し、収集したごみを他の車輌、特に塵芥積込装置を備えた大型の塵芥収集車へ積み替えることができる塵芥収集車を提供することである。
【０００９】
【課題を解決するための手段】
上記の課題を解決するため、請求項１記載の塵芥収集車は、運転席後方の車台フレーム上に設けられ後部上面と背面とが開口された塵芥収容箱と、前記塵芥収容箱の後部上端部に軸着されて上下に回動し、下方位置に固定されて前記後部上面と背面とを閉塞するとともに該塵芥収容箱の後部に投入される塵芥を前方に移送し上方に回動して前記後部上面と背面とを開口する積込装置と、前記塵芥収容箱に内設され該塵芥収容箱に収容された塵芥を後方に排出する排出板と、を備え、前記積込装置が設けられた前記塵芥収容箱の後部の底面が下方に向って湾曲して、投入された塵芥が蓄積されるホッパー部が形成され、前記塵芥収容箱に収容された塵芥を後方に排出する時、前記排出板の後端を前記ホッパー部の後端まで移動させるとともに、前記排出板の上端を前記塵芥収容箱の後部開口の上端より後方に移動させることを特徴とする。
【００１０】
請求項１記載の塵芥収集車によれば、ごみの積み替え作業時に、積込装置のみを排出板に干渉しない上昇位置まで移動させて、塵芥投入室の後方からごみを排出できる。従って、ごみを積み替えるための車輌として、後部上方に大きな空間を備えていない一般的な塵芥収集車を利用することで、ごみ収集車が圧縮収集したごみを、圧縮した状態を維持しつつ大型の塵芥収集車に積み替えることができ、ごみ回収作業の効率を向上させることができる。
また、ごみの積み替え時に塵芥投入室を上方に移動させる必要がないので、塵芥収集車の安定性を確保することができる。
【００１１】
また、ごみ積み替え時に重量物となる塵芥収容箱を後方に傾斜させるための機構が必要ないので、塵芥収集車の製造コストを抑えることができる。
また、収集したごみを他の塵芥収集車に積み替えるので、収集したごみをまとめて一時的に貯留し、大型車輌へ積み替えるための塵芥貯留施設を設ける場合と比較して、ごみ収集作業のコストを抑えることができる。
【００１３】
また、ごみの積み替え時に、塵芥投入箱の後端からごみの排出を効率的かつ確実に行うことができる。
【００１４】
請求項２記載の塵芥収集車は、請求項１記載の塵芥収集車であって、前記積込装置が、上昇下降するアッパパネルと、前記アッパパネルの下端部に軸着され前記ホッパー部に沿って回動し、投入された塵芥を掻き揚げるロアパネルと、を有し、前記アッパパネルが最も下降した状態において前記ロアパネルが前後両向きに回動することを特徴とする。
【００１５】
請求項２記載の塵芥収集車によれば、請求項１と同様の効果を得られると共に、アッパパネルが最も下降した状態においてロアパネルを前後両向きに回動させることで、既存の塵芥収集車の積込装置を利用して塵芥を積み込むようにし、その場合に排出板では排出できない塵芥投入箱後部の湾曲したホッパー部の塵芥を後方に排出でき、ごみの積み替え作業をより効率的かつ確実に行うことができる。
【００１６】
請求項３記載の塵芥収集車は、請求項１記載の塵芥収集車であって、前記積込装置が、前記ホッパー部に沿って回転し、投入された塵芥を掻き揚げる回転板と、前記回転板で掻き揚げられた塵芥を前記塵芥収容箱において前方へ押し込む押込板と、を有し、前記回転板が正転と逆転とを行うことを特徴とする。
【００１７】
請求項３記載の塵芥収集車によれば、請求項１と同様の効果を得られると共に、回転板を正転及び逆転させることで、既存の塵芥収集車の積込装置を利用して塵芥を積み込むようにし、その場合に排出板では排出できない塵芥投入箱後部のホッパー部に残った塵芥を後方に排出でき、ごみの積み替え作業をより効率的かつ確実に行うことができる。
【００１８】
【発明の実施の形態】
以下、本発明に係る塵芥収集車の実施の形態を図を用いて説明する。
図１に示すように、塵芥収集車１は、前部及び中間部に形成される塵芥収容室２０、後部に形成される塵芥投入室３０から構成される塵芥収容箱１０、塵芥投入室３０に取り付けられた積込装置４０、塵芥収容箱１０に内設される排出板５０等を備える。
【００１９】
塵芥収容箱１０は、車体枠１１上に配設され、内部にごみが積み込まれ、それを収容するための箱体である。
【００２０】
塵芥投入室３０は、塵芥収容箱１０の後部に一部が車体枠１１からはずれて配設され、内部にごみを投入される。
塵芥投入室３０の左右両壁３１は、塵芥収容室２０の左右両壁２１が後方に延出することで、塵芥収容室２０の左右両壁２１と一体に形成されている。また、塵芥投入室３０の底部には、下方に撓むような底面が形成されたホッパー部３２が配設されており、塵芥投入室３０に投入されたごみはまずホッパー部３２に蓄積されることになる。
【００２１】
また、塵芥投入室３０の背面側から上面側にまで至るテールゲート３３が配設されている。テールゲート３３はその上縁部分が塵芥収容箱１０の上面側に上下方向に回転可能に連結されると共に、後述する積込装置４０が一体に設けられている。そして、テールゲート３３は塵芥収容箱１０との連結部分を中心にして上下方向に回転し、塵芥投入室３０の背面及び上面側を開閉する。
【００２２】
本実施例の積込装置４０は、塵芥投入室３０に投入されたごみを圧壊し、塵芥収容室２０内に積み込む、既存の塵芥収集車に搭載されている圧縮式の積込装置と同じものである。
積込装置４０は、図１〜図３に示すように、支持部材４１、アッパーパネル４２、ガイド部材４３、第一のシリンダ４４、ロアパネル４５、第二のシリンダ４６、係止手段４７等から概略構成される。
【００２３】
支持部材４１は、ガイド部材４３や第一のシリンダ４４等、積込装置４０を構成する部材が取り付けられ、これら各部材を一体に上下方向に移動させるための部材であり、塵芥収容箱１０の左右両壁２１それぞれの近傍に配設される。
支持部材４１は、その上方側の端部において塵芥収容室２０上面の左右両縁部分に設けられた軸受け部２２に軸支されており、この軸支された部分を中心にして上下方向に回転し、図１に示す下降位置と、図４に示す上昇位置とで停止可能な構造を備えている。
なお、このような支持部材４１の上下方向への回転は、例えば、基端が塵芥収容箱１０の一部に接合され、ロッドが支持部材４１の一部に連結した支持部材回転用ピストン（図示せず）を駆動させることで行うものとする。
【００２４】
アッパーパネル４２はアッパーパネル本体部４２ａ（図３を参照）と側面部４２ｂとを備える。
アッパーパネル本体部４２ａは、塵芥投入室３０内に配設され、塵芥収容室２０内のごみを遮蔽するとともに上下動して、後述するロアパネル４５が掻き揚げた塵芥を塵芥収容室２０へ送り込む。
【００２５】
側面部４２ｂは、アッパーパネル本体部４２ａの左右両側縁部分から鉛直方向に沿って配設される部材である。
各側面部４２ｂは、側面視略Ｌ字状に形成された２枚の板が、互いに間隙を設けた状態で左右方向に連接されて形成される。そして、２枚の側面版のうち、外側に位置する側面板の外面の長手方向に沿ってローラ４２ｃが複数（例えば２つ）配設されている。
【００２６】
ガイド部材４３は、アッパーパネル４２の移動を案内するための部材であり、断面略コ字状に形成され、案内溝４３ａを塵芥収容室２０の内側に向けた状態で支持部材４１の長手方向に沿って取り付けられている。そして、案内溝４３ａ上を２つのローラ４２cが摺動することで、アッパーパネル４２の移動が案内されることになる。
【００２７】
第一のシリンダ４４は、アッパーパネル４２をガイド部材４３に沿って移動させるために配設され、基端４４ａが支持部材４１の下部に回転可能に軸支され、ロッド４４ｂがアッパーパネル４２の上部に回転可能に軸支されている。
そして、第一のシリンダ４４を駆動させることで、ロッド４４ｂの先端に連結したアッパーパネル４２がガイド部材４３に案内された状態で、支持部材４１の長手方向に沿って移動する構造を備えている。なお、詳しい説明は後述するが、アッパーパネル４２の下端部分にはロアパネル４５が連結しており、アッパーパネル４２の移動に伴いロアパネル４５も移動する構造となっている。
【００２８】
ロアパネル４５は、ロアパネル本体部４５ａ（図３を参照）と側面部４５ｂとを備える。
ロアパネル本体部４５ａは、塵芥投入室３０内下方の左右方向に沿って配設され、塵芥収容室２０及び塵芥投入室３０内のごみを外部から遮蔽すると共に、下方に延出する延出部４５１ａを備え、この延出部４５１ａが塵芥投入室３０のホッパー部３２上面に沿って前後方向に移動することで、ホッパー部３２内のごみを圧縮し、塵芥収容室２０内に積み込むための部材である。
【００２９】
側面部４５ｂは、ロアパネル本体部４５ａの左右両側縁部分から、直角に配設される部材である。上述のように、側面部４５ｂの一部はアッパーパネル４２の下端部分に回転可能に軸支されており、この軸支された部分を中心に水平軸まわりに回転する構造を備える。また、側面部４５ｂの他の一部は後述する第二のシリンダ４６のロッド４６ｂに回転可能に軸支されている。
【００３０】
第二のシリンダ４６は、ロアパネル４５の延出部４５１ａを塵芥投入室３０のホッパー部３２上面に沿って前後方向に移動させるために配設され、ロッド４６ａがアッパーパネル４２の側面板の２枚の板に挟まれた状態で、側面板に回転可能に軸支され、基端４６ｂがロアパネル４５の側面部４５ｂの一部に回転可能に軸支されている。
そして、第二のシリンダ４６を駆動させることで、アッパーパネル４２の下端部分に回動可能に軸支されたロアパネル４５は、この軸支された部分を中心に回動し、ロアパネル４５の延出部４５１ａが塵芥投入室３０のホッパー部３２上面に沿って前後方向に移動する構造を備えている。
【００３１】
係止手段４７は、支持部材４１を下降位置で固定するための配設され、第三のシリンダ４７ａと係止フック４７ｂとを備える。
第三のシリンダ４７ａは、係止フック４７ｂを前後方向に回転させるために配設され、基端４７１ａが支持部材４１の一部に回転可能に軸支され、ロッド４７２ａが係止フック４７ｂの一端に回転可能に軸支されている。
係止フック４７ｂは、前記一端において第三のシリンダ４７ａのロッド４７２ａに回転可能に軸支され、そのほぼ中央部分において支持部材４１に回転可能に軸支され、他端にフックが形成されている。
【００３２】
そして、支持部材４１を下降位置まで移動させた状態で、第三のシリンダ４７ａのロッド４７２ａを伸び側に移動させることで、係止フック４７ｂは支持部材４１に軸支された部分を中心として図２に示す時計回りに回転する。そして、塵芥収容箱１０の壁２１に、内側に突出して配設されるピン２３に係止フック４７ｂが係止することで、支持部材４１が下降位置で固定される構造となっている。
また、支持部材４１を上昇位置まで移動させるには、まず、第三のシリンダ４７ａのロッド４７２ａを縮み側に移動させることで、係止フック４７ｂをピン２３からはずし、係止を解除した状態で支持部材回転用ピストンを駆動させることで行う。
【００３３】
排出板５０は、塵芥収容箱１０内を後方に移動し、塵芥収容室２０内のごみを外部に排出するために設けられる。排出板５０の下方部分は後方に屈折して形成されている。塵芥収容箱１０内には、基端５１ａが塵芥収容箱１０の一部に回転可能に軸支された排出板用シリンダ５１が配設されている。排出板５０はこの排出板用シリンダ５１のロッド５１ｂに回転可能に軸支されており、排出板用シリンダ５１のロッド５１ｂの前後方向への移動に伴い、排出板５０が前後方向に移動する構造となっている。
【００３４】
次に、上述のような構造を備える塵芥収集車１によるごみの収集作業及びごみの積み替え作業について説明する。
この積込装置４０の積込動作は既存の圧縮式塵芥収集車の積込装置のものと同じであり、テールゲート３３は下降位置にあり、係止手段４７で固定されている。また、アッパーパネル４２は上昇しており、ロアパネル４５は前方に揺動した状態である。
【００３５】
そして、塵芥投入室３０にごみを投入していき、一定量のごみがホッパー部３２に蓄積された時点で積込装置４０を作動させる。そうするとロアパネル４５が後方に回動し、アッパパネル４２が下降する。次にロアパネル４５が前方へ所定角度揺動してごみを圧縮する。
この時点でロアパネル４５は、その前面側にごみを抱え込んだ状態となっており、この状態のままアッパパネル４２により上昇させられ、圧縮されたごみがロアパネル４５と共に上方に移動し、塵芥収容室２０内に積み込まれる。このような動作を繰り返すことでごみの収集作業が行われる。
【００３６】
ごみの積み替え作業は、図４に示すように、まず、積込装置４０と共にテールゲート３３を上昇させる。
そして、塵芥収集車１の後方に大型の塵芥収集車６０の塵芥投入口を近接させた状態で、排出板５０を後方に移動させることで、排出板５０の背面部分で塵芥収容室２０内のごみを後方に移動させる。そして、ごみを塵芥投入室３０の後方から外部に排出し、大型塵芥収集車６０の塵芥投入室６１に投入することで行われる。
【００３７】
このようなごみの積み替え作業によって、塵芥収容室２０内のごみの大部分は排出されるが、ホッパー部３２内のごみのうち、塵芥収容室２０の底面より下方に位置するごみについては、排出板５０によって排出されない場合がある。
このような場合には、まず、図５に示すように、排出板５０によるごみの排出が修了した後、排出板５０を塵芥収容室２０の前面付近に移動させて、テールゲート３３を下降位置まで移動させ塵芥投入室３０に固定する。この時点では上方に位置するロアパネル４５の延出部４５１ａは前方に位置している。
【００３８】
そして、図６に示すように、アッパパネル４２を積込時の下降位置まで下降させ、図７に示すように、ロアパネル４５を反時計回りに回動させ、延出部４５１ａをホッパー部３２に沿って後方に移動させて、ホッパー部３２内のごみを、塵芥投入室３０の後方から外部に排出し、大型塵芥収集車６０に積み替える。
なお、この下降と回動を指令する回路は通常の塵芥収集車には備わっていないので別途設けるが、これは当業者の技術レベルの範囲にある。
このようなロアパネル４５を用いたごみの排出を、排出板５０によるごみの排出作業の終了後に行うこととしても良い。
そして、テールゲート３３を下降させるときに大型塵芥収集車６０と干渉するようであれば、塵芥収集車１を前進させてテールゲート３３を下降させる。
【００３９】
本実施の形態に示した塵芥収集車１によれば、塵芥収容箱１０を従来の塵芥収集車の塵芥収容箱と塵芥投入箱とを一体にして形成し、その前部と中間部を塵芥収容室２０として排出板５０を内設し、後部を塵芥投入室３０として、塵芥収容箱１０の後部上面と背面を開口させ、これらの部分を開閉させるようにして上端部に回動自在に積込装置４０を軸着したので、収容されていた塵芥を横方向に漏らすことなく後方に排出でき、さらに、従来の塵芥収集車のように塵芥投入室３０と積込装置４０の両方を上方に移動させる必要がなく、転倒のおそれがない。
従って、ごみを積み替えるための車輌として、後部上方に大きな空間を備えていない一般的な塵芥収集車を利用することができるので、ごみ収集車が圧縮収集したごみを、圧縮した状態を維持しつつ、例えばより大型の塵芥収集車６０に積み替えることができ、ごみ回収作業の効率を向上させることができる。
また、ごみの積み替え時に塵芥投入室３０を上方に移動させる必要がないので、塵芥収集車１の安定性を確保することができる。
【００４０】
また、ごみ積み替え時に重量物となる塵芥収容室２０を後方に傾斜させるための機構が必要ないので、塵芥収集車の製造コストを抑えることができる。
また、塵芥投入室３０の底面に沿って前後方向に回動可能なロアパネル４５を備え、ロアパネル４５を後方に移動させることで、ホッパー部３２内のごみを後方に排出できるので、ごみの積み替え作業をより効率的かつ確実に行うことができる。
また、収集したごみを他の大型の塵芥収集車６０に積み替えることができ、収集したごみをまとめて一時的に貯留し、大型車輌へ積み替えるための塵芥貯留施設を設ける場合と比較して、ごみ収集作業のコストを抑えることができる。
【００４１】
なお、本発明は本実施の形態に限定されるものではなく、本発明の技術範囲に属する限り種々の形態で実施できる。例えば、本実施の形態では、支持部材４１を下降位置で固定させるための係止手段４７が、第三のシリンダ４７ａと係止フック４７ｂとを備えるものとしたが、これに限らず、例えば、支持部材回転用ピストンの駆動制御のみで支持部材４１を下降位置で固定させるものとしても良く、あるいは、第三のシリンダ４７ａの替わりにコイルバネ等の弾性部材を用いて、係止フック４７ｂを常時時計回りに付勢することで係止フック４７ｂをピン２３に係止させておき、作業者が手動により係止フック４７ｂの係止を解除する構造を備えるものとしても良い。
【００４２】
また、塵芥投入室３０の左右両壁３１は塵芥収容室２０の左右両壁２１と一体に形成されるものとしたが、これに限らず、塵芥投入室３０の左右両壁３１が塵芥収要箱２０の左右両壁２１と別体に形成されるものとしても良い。
また、塵芥収集車１が収集したごみを他の大型塵芥収集車６０に積み替えるものとしたが、これに限らず、例えばダンプ車等の一般的なごみ搬送用車輌に積み替えるものとしても良い。
さらに積込装置４０を回転板方式にした塵芥収集車にも応用できる。
【００４３】
【発明の効果】
以上詳述したように、本発明の塵芥収集車によれば、塵芥収容箱を従来の塵芥収集車の塵芥収容箱と塵芥投入箱とを一体にして形成し、その前部と中間部を塵芥収容室として排出板を内設し、後部を塵芥投入室として、塵芥収容箱の後部上面と背面を開口させ、これらの部分を開閉させるようにして上端部に回動自在に積込装置を軸着したので、収容されていた塵芥を横方向に漏らすことなく後方に排出でき、さらに、従来の塵芥収集車のように塵芥投入室と積込装置の両方を上方に移動させる必要がなく、転倒のおそれがない。従って、ごみを積み替えるための車輌として、後部上方に大きな空間を備えていない一般的な塵芥収集車を利用することができるので、ごみ収集車が圧縮収集したごみを、圧縮した状態を維持しつつ、例えばより大型の塵芥収集車に積み替えることができ、ごみ回収作業の効率を向上させることができる。
また、ごみの積み替え時に塵芥投入室を上方に移動させる必要がないので、塵芥収集車の安定性を確保することができる。
また、ごみ積み替え時に重量物となる塵芥収容室を後方に傾斜させるための機構が必要ないので、塵芥収集車の製造コストを抑えることができる。
また、塵芥投入室の底面に沿って前後方向に回動可能なロアパネルを備え、ロアパネルを後方に移動させることで、ホッパー部内のごみを後方に排出できるので、ごみの積み替え作業をより効率的かつ確実に行うことができる。
また、収集したごみを他の大型の塵芥収集車に積み替えることができ、収集したごみをまとめて一時的に貯留し、大型車輌へ積み替えるための塵芥貯留施設を設ける場合と比較して、ごみ収集作業のコストを抑えることができる。
【図面の簡単な説明】
【図１】本発明の実施の形態に示す塵芥収集車の構造を示す要部側面図である。
【図２】積み込み装置の構造を示す要部側面図である。
【図３】積み込み装置の構造を示す要部背面図である。
【図４】塵芥収集車によるごみの積み替え作業を説明するための要部側面図である。
【図５】塵芥収集車によるごみの積み替え作業を説明するための要部側面図である。
【図６】塵芥収集車によるごみの積み替え作業を説明するための要部側面図である。
【図７】塵芥収集車によるごみの積み替え作業を説明するための要部側面図である。
【図８】従来の塵芥収集車の構造を示す要部側面図（Ａ）及び（Ｂ）である。
【図９】一般的な塵芥収容施設の構造を示す側面図である。
【符号の説明】
１      塵芥収集車
１０    塵芥収容箱
２０    塵芥収容室
３０    塵芥投入室
４０    積込装置
４５    ロアパネル
５０    排出板
【図１】
0004568458.tif 000002
【図２】
0004568458.tif 000003
【図３】
0004568458.tif 000004
【図４】
0004568458.tif 000005
【図５】
0004568458.tif 000006
【図６】
0004568458.tif 000007
【図７】
0004568458.tif 000008
【図８】
0004568458.tif 000009
【図９】
0004568458.tif 000010